(57)【要約】      （修正有）【課題】構造が簡単で安価であり、しかも使用時の手軽さに優れた、主として歯間のブラッシングに使用される歯ブラシを提供する。【解決手段】柄体１を、把持部２と、該把持部２より小径で且つその先端にブラシ取付部４が設けられた延設部３で構成するとともに、把持部２と延設部３を１０°〜１５°の折曲角αをもった折曲形体とする。【効果】係る構成によれば、延設部が小径であることからブラシ体部分を口腔内の所要の位置に的確に位置させることが容易であり、また把持部と延設部が折曲形体であることから、延設部をその近傍の歯と干渉させること所要位置に的確に位置させることができ、相乗効果として、ブラシ体による歯間のブラッシングをより的確に行うことができる。さらに、柄体の把持部と延設部の間の折曲角αが固定的に設定されていることから、構造が簡単で、その製造コストの低廉化、及び手軽な使用が実現される。【選択図】図２
0003107176.tif 000002
【実用新案登録請求の範囲】
【請求項１】
柄体（１）の先端部に設けたブラシ取付部（４）に、一束の植毛でなるブラシ体（１０）を備えた歯ブラシであって、
上記柄体（１）は、把持部（２）と、該把持部（２）より小径で且つその先端に上記ブラシ取付部（４）が設けられた延設部（３）で構成されるとともに、
上記把持部（２）と延設部（３）が１０°〜１５°の折曲角αをもった折曲形体であることを特徴とする歯ブラシ。
【請求項２】
請求項１において、
上記ブラシ取付部（４）は、上記柄体（１）の上記延設部（３）に対して９２°〜９５°の取付角βをもって傾斜形成されていることを特徴とする歯ブラシ。
【請求項３】
請求項１又は２において、
上記ブラシ体（１０）の先端部を、５０°〜７０°の先端角θをもつ円錐状形体としたことを特徴とする歯ブラシ。
【請求項４】
請求項１において、
上記柄体（１）の上記把持部（２）と上記延設部（３）のうち、少なくとも上記延設部（３）は六角柱状の形体をもち、且つその平行に対向する二面の対向方向が上記ブラシ取付部（４）の軸線方向に略合致していることを特徴とする歯ブラシ。
【考案の詳細な説明】
【技術分野】
【０００１】  本願考案は、歯間のブラッシングに好適な歯ブラシに関するものである。
【背景技術】
【０００２】  従来から、歯間をブラッシングし、歯間に溜まった歯垢等を効果的に除去する歯ブラシとして、柄体の先端に設けられるブラシ体を、一束の植毛のみで構成した歯ブラシが提案されている（特許文献１の段落「０００３」参照）。【０００３】  このような柄体の先端に一束の植毛のみで構成されるブラシ体を備えた歯ブラシを使用すれば、該ブラシ体が歯間の奥深くまで進入して該奥部の歯垢等を効果的に除去することができる。しかし、このような効果は、上記ブラシ体が届き易い部位のブラッシングにおいては確実に得られるものの、例えば、前歯の裏面側の歯間とか、奥歯の歯間等の隠れた部位のブラッシングにおいては、口腔内へブラシ体を差し入れてこれを所要の歯間位置に当てようとした場合、柄体がその近傍の歯に当たって、該ブラシ体を該歯間位置へ的確に位置させることが困難となり、十分なブラッシング効果を得ることができないというような問題があった。【０００４】  このような事情に鑑みて、柄体の角度を可変とするとともに、ブラシ体の柄体に対する取付角度をも可変とした歯ブラシが提案されている（例えば、特許文献１参照）。【０００５】
【特許文献１】特開平９−１８７３１９号公報（段落「０００３」、「０００５」〜「０００８」、「００１５」〜「００１８」、図１、図２）。
【考案の開示】
【考案が解決しようとする課題】
【０００６】  ところが、このような従来の歯ブラシにおいては、上記柄体及びブラシ体の可変構造が複雑で、製造コストが高くつくとともに、ブラッシング位置に応じてこれらの角度調節を行うのが面倒であり、使用時の手軽さという点において改善の余地を有するものである。【０００７】  また、柄体が歯に当たってブラシ体を所要位置へ的確に位置させることが困難になるのを防止するという課題を、柄体の角度調整のみによって行うようにしていることから、上記柄体の先端側部分、即ち、口腔内に差し入れられる部分は比較的大径の棒状形体としている。しかし、いくら柄体の角度調整によって対処するといっても、この大径部分が歯に当たることで上記柄体の角度調整による効果が減殺され、その結果、当初期待したほどの効果を得ることができないことになる。【０００８】  そこで本願考案は、構造が簡単で安価であり、しかも使用時の手軽さに優れた歯ブラシを提供することを目的としてなされたものである。
【考案の技術的背景】
【０００９】  本願考案者は、上記課題を解決する手段を研究する過程において、柄体の形状、特に曲がり角度と、柄体に対するブラシ体の取付角の最適値を幾度かの実験によって知得した。即ち、柄体を、把持部と該把持部の先端側に連続し且つその先端にブラシ体が備えられる延設部の二つの部位で構成したものを想定し、該把持部と延設部の折曲角αを種々変更させながら、上記延設部が口腔内へ差し入れられたときに、該延設部が歯と干渉することなく、上記ブラシ体を前歯の裏面側の歯間等の隠れた部位に的確に位置させることができるような角度を求めた。その結果、上記折曲角αとしては、１０°〜１５°、望ましくは１３°であること、及び該折曲角αが１５°以上では却って折曲していることが障害となること、また該折曲角αが１０°以下では折曲させることで得られる効果が少なく、折曲させる意味が希薄になること、等を知得した。
【００１０】  また、同様の観点から、上記延設部の先端に設けられたブラシ体の該延設部に対する取付角βを種々変更させながら、上記ブラシ体を目的とする歯間部位に的確に位置させることができるような角度を求めた。その結果、上記取付角βとしては、９２°〜９５°であること、及び該取付角βが９５°以上では歯間に対するブラシ体の接触角が大きくなり過ぎて却ってブラッシング効果が損なわれ、また、該取付角βが９２°以下では傾斜させることで得られる効果が少なく、傾斜させる意味が希薄になること、等を知得した。
【００１１】  さらに、ブラシ体の先端の形状については、歯間の一般的な形状からして、これが円錐形であるときに、ブラシ体が歯間内に最も進入し易いことは容易に想到されるが、その円錐角の最適値については有効な提案は無い。このため、本願考案者は、上記ブラシ体の先端角θを種々変更させながら、該ブラシ体の先端部が歯間内に進入し易く且つ良好なブラッシング作用を得ることのできる最適な先端角θを求めた。その結果、先端角θは５０°〜７０°、望ましくは６０°であること、及び該先端角θが７０°以上ではブラシ体の先端部分が歯間内に進入しにくいこと、また該先端角θが５０°以下ではブラシ体によるブラッシング効果が少なくなること、等を知得した。
【課題を解決するための手段】
【００１２】  これらの知得事項に基づいて、本願考案では、上記課題を解決するための手段として、次のような構成を採用している。
【００１３】  本願の第１の考案では、柄体１の先端部に設けたブラシ取付部４に、一束の植毛でなるブラシ体１０を備えた歯ブラシにおいて、上記柄体１を、把持部２と、該把持部２より小径で且つその先端に上記ブラシ取付部４が設けられた延設部３で構成するとともに、上記把持部２と延設部３を１０°〜１５°の折曲角αをもった折曲形体としたことを特徴としている。
【００１４】  本願の第２の考案では、上記第１の考案に係る歯ブラシにおいて、上記ブラシ取付部４を、上記柄体１の上記延設部３に対して９２°〜９５°の取付角βをもって傾斜形成したことを特徴としている。
【００１５】  本願の第３の考案では、上記第１又は第２の考案に係る歯ブラシにおいて、上記ブラシ体１０の先端部を、５０°〜７０°の先端角θをもつ円錐状形体としたことを特徴としている。
【００１６】  本願の第４の考案では、上記第１の考案に係る歯ブラシにおいて、上記柄体１の上記把持部２と上記延設部３のうち、少なくとも上記延設部３を六角柱状の形体とし、且つその平行に対向する二面の対向方向を上記ブラシ取付部４の軸線方向に略合致させたことを特徴としている。
【考案の効果】
【００１７】  本願考案に係る歯ブラシによれば、次のような効果が奏せられる。
【００１８】  （イ）本願の第１の考案では、柄体１の先端部に設けたブラシ取付部４に、一束の植毛でなるブラシ体１０を備えた歯ブラシにおいて、上記柄体１を、把持部２と、該把持部２より小径で且つその先端に上記ブラシ取付部４が設けられた延設部３で構成するとともに、上記把持部２と延設部３を１０°〜１５°の折曲角αをもった折曲形体としている。
【００１９】  従って、この考案の歯ブラシによれば、
第１に、上記柄体１を、把持部２と、該把持部２より小径で且つその先端に上記ブラシ取付部４が設けられた延設部３で構成しているので、上記延設部３が小径である分だけ、上記ブラシ体１０部分を口腔内に差し入れて所要の位置に位置させる場合において、該延設部３が歯に当たる確率が少なく、それだけ上記ブラシ体１０部分を所要の位置に的確に位置させることが容易となり、
第２に、上記柄体１を構成する上記把持部２と延設部３を１０°〜１５°の折曲角αをもった折曲形体としているので、上記延設部３を口腔内へ差し入れてその先端の上記ブラシ体１０を所要の歯間位置に位置させる場合、該延設部３をその近傍の歯と干渉させることなく所要位置に的確に位置させることができ、
これらの相乗効果として、上記ブラシ体１０による歯間のブラッシングをより的確に行うことができるものである。
【００２０】  さらに、この考案の歯ブラシにおいては、上記柄体１の上記把持部２と延設部３の間の折曲角αが固定的に設定されたものであって、例えば、上掲公知例のように上記折曲角αを調整可能とした場合に比して、歯ブラシの構造が簡単であり、延いては、歯ブラシの製造コストの低廉化、及び歯ブラシの手軽な使用が実現されるものである。
【００２１】  （ロ）本願の第２の考案では、上記（イ）に記載の効果に加えて、次のような特有の効果が得られる。即ち、この考案では、上記ブラシ取付部４を、上記柄体１の上記延設部３に対して９２°〜９５°の取付角βをもって傾斜形成させているので、上記ブラシ体を目的とする歯間部位に的確に位置させることができ、それだけ、ブラシ体１０によるブラッシング効果の更なる向上が期待できる。
【００２２】  （ハ）本願の第３の考案では、上記（イ）又は（ロ）に記載の効果に加えて、次のような特有の効果が得られる。即ち、この考案では、上記ブラシ体１０の先端部を、５０°〜７０°の先端角θをもつ円錐状形体としているので、上記ブラシ体１０の先端が歯間内に進入し易く且つ良好なブラッシング作用を得ることができる。
【００２３】  （ニ）本願の第４の考案では、上記（イ）に記載の効果に加えて、次のような特有の効果が得られる。即ち、この考案では、上記柄体１の上記把持部２と上記延設部３のうち、少なくとも上記延設部３を六角柱状の形体とし、且つその平行に対向する二面の対向方向を上記ブラシ取付部４の軸線方向に略合致させているので、歯ブラシの製造時においては、上記延設部３の六角柱状の一面を冶具への固定面とすることで、該延設部３を的確に固定して上記ブラシ取付部４に植毛加工を行うことができ、植毛作業の高精度化による商品価値の向上と、作業性の向上による低コスト化が促進され、延いては、信頼性の高い歯ブラシをより安価に提供できることになる。
【考案を実施するための最良の形態】
【００２４】  以下、本願考案を好適な実施形態に基づいて具体的に説明する。【００２５】  図１には、本願考案の実施形態に係る歯ブラシＺを示している。この歯ブラシＺは、主として歯間のブラッシングに使用されるものであって、次述のように柄体１の先端にブラシ体１０を備えて構成される。【００２６】  上記柄体１は、適宜の樹脂材を用いて一体に型成形されるものであって、次述の把持部２と延設部３の二つの部分から構成されている。【００２７】  上記把持部２は、略正六角形の断面形状をもつ棒状体であって、その一端２ａから他端２ｂにかけてその径寸法が漸増している。【００２８】  上記延設部３は、略正六角形の断面形状をもつ棒状体であって、上記把持部２の他端２ｂに連続して形成されるとともに、その先端３ａ、即ち、上記柄体１の先端１ａには後述のブラシ取付部４が一体形成されている。【００２９】  そして、上記把持部２と延設部３は、これら両者間においてその六角形の各面が軸方向に連続するように、軸芯回りの位相が設定されるとともに、これら両者の連続部位において、且つ所定の折曲角αをもって折曲した形体とされている。ここで、この折曲角αは、本考案を適用して、１０°〜１５°の範囲に設定されている。【００３０】  上記ブラシ取付部４は、上記延設部３の先端３ａにおいて該延設部３と一体に形成された有底筒状の形体をもつものであって、その軸線方向は、上記折曲角αの角度方向において平行に対向する上記延設部３の二面の対向方向に略合致している（換言すれば、上記ブラシ取付部４は、記延設部３の一面上に立設状態で形成されている）。そして、この場合、上記ブラシ取付部４は、上記延設部３に対して所定の取付角βをもって形成されている。ここで、この取付角βは、本考案を適用して、９２°〜９５°の範囲に設定されている（換言すれば、上記ブラシ取付部４は、上記延設部３の軸線に直交する方向から、さらに前方へ２°〜５°の角度で前傾している）。【００３１】一方、上記ブラシ取付部４の孔部５には、一束の植毛でなるブラシ体１０が取り付けられている。このブラシ体１０は、所定本数の植毛を円柱状に束ねて構成されるもので、ここでは「植毛」と表現しているが、これには毛材がブラシ取付部４側に植え付けられたものは勿論のこと、これに限らず、毛材を適宜の固定材を用いて上記ブラシ取付部４も孔部５内に挿入固定したものとか、接着剤で接着固定したものも含む広い概念である。【００３２】  そして、上記ブラシ取付部４の上記孔部５内に取り付けられた一束の植毛でなるブラシ体１０は、その先端の形状を円錐状とするとともに、その先端角θを、本考案を適用して、５０°〜７０°の範囲に設定している。【００３３】  また、上記ブラシ体１０の上記ブラシ取付部４からの延出長Ｌは、７〜１０ｍｍに設定されている。この延出長Ｌは、これが長すぎるとブラシ体１０の腰が弱くなりブラッシング効果が低下する一方、これが短か過ぎると該ブラシ体１０による払拭作用が減少してブラッシング効果が低下する。このため、これらを考慮して最適な長さに設定することが肝要であり、本願考案者は係る観点から幾度かの実験を行い、その結果として上記の長さ（７〜１０ｍｍ）を知得したものである。【００３４】  このように構成されたこの実施形態の歯ブラシＺにおいては、以下のような実用上有用な効果が得られるものである。【００３５】  この歯ブラシＺは、上記柄体１の先端部に設けた上記ブラシ取付部４に、一束の植毛でなる上記ブラシ体１０を備えたものであって、上記柄体１を、把持部２と、該把持部２より小径で且つその先端に上記ブラシ取付部４が設けられた延設部３で構成するとともに、上記把持部２と延設部３を１０°〜１５°の折曲角αをもった折曲形体としているので、
第１に、上記延設部３が小径である分だけ、上記ブラシ体１０部分を口腔内に差し入れて所要の位置に位置させる場合において、該延設部３が歯に当たる確率が少なく、それだけ上記ブラシ体１０部分を所要の位置に的確に位置させることが容易となり、
第２に、上記把持部２と延設部３が１０°〜１５°の折曲角αをもった折曲形体であることから、上記延設部３を口腔内へ差し入れてその先端の上記ブラシ体１０を所要の歯間位置に位置させる場合、該延設部３をその近傍の歯と干渉させることなく所要位置に的確に位置させることができ、
これらの相乗効果として、上記ブラシ体１０による歯間のブラッシングをより的確に行うことができるものである。【００３６】  さらに、この歯ブラシＺにおいては、上記柄体１の上記把持部２と延設部３の間の折曲角αが固定的に設定されたものであって、例えば、上掲公知例のように上記折曲角αを調整可能とした場合に比して、歯ブラシの構造が簡単であり、延いては、歯ブラシの製造コストの低廉化、及び歯ブラシの手軽な使用が実現されるものである。【００３７】  また、上記ブラシ取付部４を、上記柄体１の上記延設部３に対して９２°〜９５°の取付角βをもって傾斜形成しさせているので、上記ブラシ体１０を目的とする歯間部位に的確に位置させることができ、それだけ、ブラシ体１０によるブラッシング効果の更なる向上が期待できる。【００３８】一方、この歯ブラシＺでは、上記ブラシ体１０の先端部を、５０°〜７０°の先端角θをもつ円錐状形体としているので、上記ブラシ体１０の先端が歯間内に進入し易く且つ良好なブラッシング作用を得ることができる。【００３９】  さらに、上記柄体１の上記把持部２と上記延設部３のうち、少なくとも上記延設部３を六角柱状の形体とし、且つその平行に対向する二面の対向方向を上記ブラシ取付部４の軸線方向に略合致させているので、歯ブラシの製造時においては、上記延設部３の六角柱状の一面を冶具への固定面とすることで、該延設部３を的確に固定して上記ブラシ取付部４に植毛加工を行うことができ、植毛作業の高精度化による商品価値の向上と、作業性の向上による低コスト化が促進され、延いては、信頼性の高い歯ブラシをより安価に提供できることになる。
【図面の簡単な説明】
【００４０】
【図１】  本願考案の実施形態に係る歯ブラシの平面図である。
【図２】  本願考案の実施形態に係る歯ブラシの側面図である。
【符号００４１】
１    ・・柄体
２    ・・把持部
３    ・・延設部
４    ・・ブラシ取付部
５    ・・取付孔
１０    ・・ブラシ体
【図１】
0003107176.tif 000003
【図２】
0003107176.tif 000004